(57)【要約】【課題】  ピアノの重量を多数のキャスターで分散して支持することにより、床への負担を低減し、床の損傷を防ぐピアノ用キャスター装置を提供すること。【解決手段】  基板１と３個以上のキャスター２とから成り、基板１の中心部に、ピアノの下端に装着したキャスター部１００を着脱可能に嵌合する貫通孔４が形成され、基板１の下面に、貫通孔４を取り巻いてキャスター２が周方向に等間隔で装着され、キャスター部１００をキャスター２の設置面から浮いた状態で支持する。【選択図】          図４
2006195165.tif 000002
【特許請求の範囲】
【請求項１】
基板と３個以上のキャスターとから成り、前記基板の中心部に、ピアノの下端に装着したキャスター部を着脱可能に嵌合する貫通孔が形成され、前記基板の下面に、前記貫通孔を取り巻いて前記キャスターが周方向に等間隔で装着され、前記ピアノのキャスター部を前記キャスターの設置面から浮いた状態で支持することを特徴としたピアノ用キャスター装置。
【請求項２】
少なくとも１個のキャスターに、その車輪を転動可能状態と転動不能状態とに切換できるストッパが設けられた請求項１に記載のピアノ用キャスター装置。
【発明の詳細な説明】
【技術分野】
【０００１】
本発明は、ピアノを移動可能に支持するピアノ用キャスター装置に関する。
【背景技術】
【０００２】
ピアノには、アップライトピアノ、グランドピアノ等があるが、いずれもかなりの重量を有するので、移動しやすいように下端にキャスターを装着してある。
通常、ピアノに装着されるキャスターの数は３個か４個であるが、このような少数のキャスターでピアノの重量を支えるため、各キャスターに大きな荷重が加わり、設置した床を傷つけ易い。
【０００３】
従来、ピアノのキャスターを安定して支持し、床を保護できるキャスター受けが種々提案されているが（特許文献１及び特許文献２参照）、これらのキャスター受けは、ピアノを移動する際に、いちいちピアノを持ち上げて取り外さなければならない。
また、ピアノを載置した状態で移動させることができるキャスター台も公知である（特許文献３参照）。
しかし、このキャスター台は、製造途中でキャスターが装着されていないピアノを運搬するものであって、完成品のピアノに装着することはできず、無理に装着しても嵩張って邪魔になる。
【０００４】
【特許文献１】実開昭５６−５０８３５号公報
【特許文献２】実開昭６３−４０６４４号公報
【特許文献３】実開昭５９−１０１２９４号公報
【発明の開示】
【発明が解決しようとする課題】
【０００５】
本発明が解決しようとする課題は、ピアノの重量を多数のキャスターで分散して支持することにより、床への負担を低減して、床の損傷を防ぐことができるピアノ用キャスター装置を提供することにある。
【課題を解決するための手段】
【０００６】
本発明のピアノ用キャスター装置は、基板と３個以上のキャスターとから成り、前記基板の中心部に、ピアノの下端に装着したキャスター部を着脱可能に嵌合する貫通孔が形成され、前記基板の下面に、前記貫通孔を取り巻いて前記キャスターが周方向に等間隔で装着され、前記ピアノのキャスター部を前記キャスターの設置面から浮いた状態で支持する。
少なくとも１個のキャスターに、その車輪を転動可能状態と転動不能状態とに切換できるストッパを設けると良い。
【発明の効果】
【０００７】
請求項１に係る発明によれば、ピアノの重量が多数のキャスターにより分散して支持されるので、各キャスターに加わる荷重が１／３以下になって、キャスターを設置した床の負担が低減され、この結果、床が破損したり、傷つくのを防ぐことができる。
請求項２に係る発明によれば、地震時、物品がぶつかった時等に、ピアノが定位置から移動するのを防止することが可能となる。
【発明を実施するための最良の形態】
【０００８】
以下、本発明の実施例を図面に基づいて詳細に説明する。  
図１及び図２に示すように、本発明のピアノ用キャスター装置は、基板１と、３個のキャスター２とから成る。
基板１は、直径２００ｍｍ，厚み３０ｍｍ程度の円盤より成り、ステンレス、アルミニウム合金等の錆びにくい金属を素材とする。
基板１の上面中央部には、直径約１００ｍｍ、深さ約１５ｍｍの円形の凹部３が形成され、その中心部に貫通孔４が形成される。貫通孔４は、ピアノの下端に装着されているキャスター部１００（図４）を抜挿できる形状・大きさとする。
【０００９】
基板１の下面において、凹部３の外周側には、幅３５ｍｍ程度の溝７が周方向に沿って形成される。
キャスター２は、基板１の下面に形成された溝７内に、貫通孔４を囲むように、周方向に等間隔で装着される。
また、キャスター２は、基板１に固定された取付板８と、取付板８に設けられた支持金具９と、支持金具９に装着された車輪１０とを備える。
支持金具９は、上下方向の軸を中心として回転でき、その下端両側部に支持部１１が対向するよう形成されている。
車輪１０は、例えば床材より軟質のゴム又は合成樹脂を素材とし、支持金具９の支持部１１間に架設したシャフト１２を中心として回転可能に取り付けられる。
【００１０】
また、少なくとも１個のキャスター２に、車輪１０を転動可能状態と転動不能状態とに切換できるストッパ１３を設ける。
ストッパ１３は、図３に示すように、一方の支持部１１とシャフト１２の一端に設けられた頭部１４との間において、シャフト１２に回動可能に取り付けられた操作板１５、及び、一方の支持部１１と車輪１０との間において、シャフト１２に回動可能に取り付けられた押圧皿２０を備える。
【００１１】
一方の支持部１１には、外面側へ隆起した隆起部１８が、シャフト１２を挟んで両方向へ延びるよう形成されている。
操作板１５の一側縁両端部にはそれぞれ操作突起１６，１６’が設けられ、操作突起１６、１６’を押圧することによって、操作板１５を正逆両方向へ回動させることができる。また、操作板１５の他側縁両端寄りには、操作板１５の正逆両方向への回転に伴い、支持金具９の側縁に係止して、それ以上の回転を規制する位置決め片１７，１７’を形成してある。
【００１２】
操作板１５には、内面側が陥没し、外面側へ隆起したリブ１９が、シャフト１２を挟んで両方向へ延びるよう形成されている。そして、操作板１５の回転に伴い、リブ１９が一方の支持部１１の隆起部１８と嵌合したり、嵌合が外れるようになっている。
操作板１５は、支持金具９の一方の支持部１１と、シャフト１２の一端に形成された頭部１４との間に設置されているので、リブ１９と隆起部１８とが嵌合している時は、隆起部１８の頂部が頭部１４に接近している。
すると、両側の支持部１１間には十分な間隔があき、支持部１１間に配置された車輪１０は転動可能となる。
【００１３】
しかし、リブ１９が隆起部１８から外れると、隆起部１８の頂部は操作板１５の平坦面に当接して、頭部１４から遠ざかる。この結果、一方の支持部１１が押されて中心方向へ撓み、両側の支持部１１間の距離が狭くなる。
すると、押圧皿２０が車輪１０を圧接し、車輪１０は押圧皿２０と他方の支持部１１で挟み付けられて転動不能となる。
即ち、ピアノを定位置へ設置した後で、一方の操作突起１６を押圧して操作板１５を正回転させ、操作板１５のリブ１９と支持部１１の隆起部１８との嵌合を外すと、車輪１０の転動が規制されて、ピアノはその位置で固定状態となる。
また、他方の操作突起１６’を押圧して操作板１５を逆回転させ、リブ１９と隆起部１８とを嵌合させると、車輪１０を回転させてピアノを移動させることができる。
【００１４】
このピアノ用キャスター装置は次のように使用される。
図４に示すように、ピアノの脚部１０１の下方にそれぞれピアノ用キャスター装置を配置し、脚部１０１を基板１の上面に形成された凹部３へあてがうと共に、脚部１０１の下端に装着されたキャスター部１００を貫通孔４へ挿入する。
すると、脚部１０１の下端が凹部３の上面に載置され、キャスター部１００は床１０２から浮いた状態で支持される。
キャスター部１００と床１０２との距離は１ｃｍ程度とすると、ピアノの高さが演奏しにくいほど変化せず、安定性も良い。
そして、ピアノを定位置に設置した後は、ストッパ１３を操作してキャスター２の車輪１０の転動を規制する。
【００１５】
このように、脚部１０１の下端にそれぞれピアノ用キャスター装置を装着すると、脚部１０１が３本であれば、９個のキャスター２がピアノの重量を分散して支持するので、各キャスター２に加わる荷重が非常に小さくなり、床１０２への負担が軽減される。
また、車輪１０は金属製とすることもできるが、キャスター２に加わる荷重が小さくなるため、車輪１０の素材を金属よりも剛性の低い合成樹脂等とすることが可能となり、この結果、床１０２を保護することができると共に、演奏時に発生するピアノの振動が床１０２に伝わりにくい。
【００１６】
なお、ピアノの種類（重量）に応じて、基板１の寸法、キャスター２の数や寸法を適宜変更することができる。
また、車輪１０の転動を規制するストッパは、上記実施例のものに限定されず、２個以上のキャスター２に搭載することも、従来公知の異なる構造のものを用いることも可能である。
【図面の簡単な説明】
【００１７】
【図１】本発明の実施例を示すピアノ用キャスター装置の斜視図。
【図２】本発明の実施例を示すピアノ用キャスター装置の裏面図。
【図３】ストッパが装着されたキャスターの側面図。
【図４】使用状態におけるピアノ用キャスター装置の断面図。
【符号の説明】
【００１８】
１  基板
２  キャスター
３  凹部
４  貫通孔
７  溝
８  取付板
９  支持金具
１０  車輪
１１  支持部
１２  シャフト
１３  ストッパ
１４  頭部
１５  操作板
１６，１６’  操作突起
１７，１７’  位置決め片
１８  隆起部
１９  リブ
２０  押圧皿
１００  キャスター部
１０１  脚部
１０２  床
【図１】
2006195165.tif 000003
【図２】
2006195165.tif 000004
【図３】
2006195165.tif 000005
【図４】
2006195165.tif 000006